(57)【要約】【課題】鋼板を洗浄する鋼板洗浄装置において、鋼板の表裏面に付着した汚れ（異物）を洗浄水の噴射圧力により効果的に取り除くことができ、且つ、清潔な周辺環境の確保及びコスト低減を実現することのできる鋼板洗浄装置を提供する。【解決手段】鋼板１の表裏面に付着している異物を洗い落とす鋼板洗浄装置１００において、前記鋼板１をほぼ水平として一方向に搬送する搬送手段２と、前記搬送手段２により搬送される鋼板１の表裏面に対し所定の高温度・高圧力の洗浄水Ｌを洗浄ノズル７、８から噴射する洗浄手段３と、前記洗浄手段３により洗浄された鋼板１を乾燥する乾燥手段４とを備え、前記洗浄ノズル７、８の噴射口は、前記鋼板１の表裏面に対し鋼板搬送方向の上流側に向けられている。【選択図】図１
2009185347.tif 000002
【特許請求の範囲】
【請求項１】
鋼板の表裏面に付着している異物を洗い落とす鋼板洗浄装置において、
前記鋼板をほぼ水平として一方向に搬送する搬送手段と、前記搬送手段により搬送される鋼板の表裏面に対し所定の高温度・高圧力の洗浄水を洗浄ノズルから噴射する洗浄手段と、前記洗浄手段により洗浄された鋼板を乾燥する乾燥手段とを備え、
前記洗浄ノズルの噴射口は、前記鋼板の表裏面に対し基板搬送方向の上流側に向けられていることを特徴とする鋼板洗浄装置。
【請求項２】
前記乾燥手段は、
前記搬送手段により搬送される鋼板の表裏面に対し、所定の高温度・高圧力のエアをエアブローノズルから吹き付けるブロー手段と、前記ブロー手段による乾燥処理後の鋼板を一対の水切りローラで挟み込みながら送り出し、水分を切り取る水切り手段とを備え、
前記エアブローノズルのノズル口は、前記鋼板の表裏面に対し鋼板搬送方向の下流側に向けられていることを特徴とする請求項１に記載された鋼板洗浄装置。
【請求項３】
前記洗浄手段と前記乾燥手段との間は、前記鋼板の搬送路を除き、隔壁により仕切られていることを特徴とする請求項１または請求項２に記載された鋼板洗浄装置。
【発明の詳細な説明】
【技術分野】
【０００１】
本発明は、プレス等による加工前のシート状の鋼板を洗浄する鋼板洗浄装置に関する。
【背景技術】
【０００２】
圧延により製造されているシート状の鋼板の表裏面にはスラグ等の異物が付着しており、これをそのまま加工すると製品の表面にスラグ等の異物による不良品となるため加工前に洗浄している。
【０００３】
従来一般的な洗浄装置は例えば図２で示すように、ローラ５０で搬送されるコイル又はシート状の鋼板１の表裏面に、洗浄油タンク５４からポンプ５５で汲み上げた洗浄油を供給配管５６により噴射ノズル５３に供給する。
そして洗浄油を噴射ノズル５３から鋼板１の表裏面に噴射し、回転するブラシローラ５１で鋼板１の表裏面に付着しているスラグ等の異物を掻き落とす。
次いで、オイルカットローラ５２で鋼板１の表裏面に付着している洗浄油をカットし、このカットした洗浄油とブラシローラ５１で洗浄した洗浄油を回収配管５７より前記洗浄油タンク５４に回収するようになされている。
【０００４】
しかしながら、この従来装置にあっては、ブラシローラ５１のブラシ先端が鋼板１の表裏面を擦るため、鋼板表裏面にブラシの擦りキズを与え、また、ブラシの摩耗屑が新たな異物を生じるという課題があった。
【０００５】
また、ブラシローラ５１のブラシは、その先端が鋼板１の表裏面に対し点接触するために当たりが不均一となり、鋼板１に付着している異物を完全に除去しきれない上、ブラシに取った異物を鋼板１に戻してしまう虞があり、十分な洗浄効果が得られないという課題があった。
【０００６】
このような課題に対し、本願出願人は、特許文献１において、ブラシローラを使用することなく鋼板の表裏面を洗浄する鋼板洗浄装置を開示した。
図３に示すこの鋼板洗浄装置は、ローラ６０により水平面で搬入される鋼板１の表裏を囲む洗浄室６１と、洗浄室６１に搬入された鋼板１の表裏面に向けて洗浄水を噴射する洗浄水噴射ノズル６２、６３と、鋼板１の表裏面に噴射した洗浄水を回収する負圧にした洗浄水回収ノズル６４、６５とを備える。
【０００７】
また、特許文献１に図示されるように、前記洗浄室６１は、鋼板の搬送方向に多列に配置されることで、より洗浄効果を向上するようになされている。
この構成において、洗浄室６１内では、鋼板１の表裏面に対し洗浄水噴射ノズル６２、６３で高圧の噴射を行うことにより、鋼板１の表裏面に付着しているスラグ等の異物が噴射の圧力により洗い落とされる。また、噴射されて洗浄水６１内に飛散する洗浄水やミストは洗浄水回収ノズル６４、６５により負圧吸引されて回収される。
【０００８】
このように、特許文献１に開示の鋼板洗浄装置によれば、ブラシローラのような点接触により洗浄するのではなく、洗浄水が面接触することにより洗浄するため、ブラシローラを用いることにより生じていた擦り傷や新たな異物の付着といった課題、さらには、ブラシローラのメンテナンスに係るコストの問題を解決することができる。
【特許文献１】特開２００５−６０７９１号公報
【発明の開示】
【発明が解決しようとする課題】
【０００９】
特許文献１に開示の洗浄装置では、図示するように洗浄ノズル６２、６３から噴射された洗浄水を回収ノズル６４、６５により回収する構造上、洗浄ノズル６２、６３の噴射方向が鋼板１の搬送方向に向けられていた。
【００１０】
しかしながら、洗浄ノズル６２、６３の噴射方向が鋼板１の搬送方向に向いているために、洗浄効果が低下し、それを補うために洗浄室を多列に配置しなければならず、洗浄水の使用量が多くなり、消費電力の増大する等のコストに係る課題が生じていた。
また、洗浄ノズル６２、６３の噴射方向が鋼板１の搬送方向に向いているために、鋼板１から洗浄水により取り除かれた汚れが次工程に流出する虞があった。
【００１１】
本発明は、前記したような事情の下になされたものであり、鋼板を洗浄する鋼板洗浄装置において、鋼板の表裏面に付着した汚れ（異物）を洗浄水の噴射圧力により効果的に取り除くことができ、且つ、清潔な周辺環境の確保及びコスト低減を実現することのできる鋼板洗浄装置を提供することを目的とする。
【課題を解決するための手段】
【００１２】
前記した課題を解決するために、本発明に係る鋼板洗浄装置は、鋼板の表裏面に付着している異物を洗い落とす鋼板洗浄装置において、前記鋼板をほぼ水平として一方向に搬送する搬送手段と、前記搬送手段により搬送される鋼板の表裏面に対し所定の高温度・高圧力の洗浄水を洗浄ノズルから噴射する洗浄手段と、前記洗浄手段により洗浄された鋼板を乾燥する乾燥手段とを備え、前記洗浄ノズルの噴射口は、前記鋼板の表裏面に対し鋼板搬送方向の上流側に向けられていることに特徴を有する。
【００１３】
このような構成によれば、洗浄方法がブラシによるものではなく洗浄水を用いるため、周辺環境を汚染することなく清潔な周辺環境を確保でき、鋼板表面を傷付けることなく洗浄することができる。
また、ブラシのような点接触による洗浄ではなく、洗浄水を用いた面接触での洗浄によって、洗い残しがなく面全体を洗浄することができ、さらに、洗浄水を高温高圧とすることにより汚れの分解能力を向上することができる。
さらに、洗浄ノズルの噴出方向が鋼板の搬送方向の上流側に向けて配置されるため、洗浄効果がより向上すると共に洗浄水が次工程に流出しないようにすることができる。
また、前記のように、洗浄水により効果的に鋼板の洗浄を行うことができるために、洗浄室を多列に配置する必要がなく、洗浄水の使用量を抑制することができ、消費電力等のコストを低減することができる。
【００１４】
また、前記乾燥手段は、前記搬送手段により搬送される鋼板の表裏面に対し、所定の高温度・高圧力のエアをエアブローノズルから吹き付けるブロー手段と、前記ブロー手段による乾燥処理後の鋼板を一対の水切りローラで挟み込みながら送り出し、水分を切り取る水切り手段とを備え、前記エアブローノズルのノズル口は、前記鋼板の表裏面に対し鋼板搬送方向の下流側に向けられていることが望ましい。
このような構成とすることによって、鋼板だけでなく水切りローラを速く乾燥することができ、より効果的に鋼板の水切りを行うことができる。
【００１５】
また、前記洗浄手段と前記乾燥手段との間は、前記鋼板の搬送路を除き、隔壁により仕切られていることが望ましい。
このように洗浄手段と乾燥手段との間を隔壁で仕切ることによって、より確実に、乾燥部内に洗浄水が流入しないようにすることができる。
【発明の効果】
【００１６】
本発明によれば、鋼板を洗浄する鋼板洗浄装置において、鋼板の表裏面に付着した汚れ（異物）を洗浄水の噴射圧力により効果的に取り除くことができ、且つ、清潔な周辺環境の確保及びコスト低減を実現することのできる鋼板洗浄装置を得ることができる。
【発明を実施するための最良の形態】
【００１７】
以下、本発明に係る鋼板洗浄装置の実施の形態について図面に基づき説明する。
図１は、本発明に係る鋼板洗浄装置の構成を模式的に示す図である。この鋼板洗浄装置１００は、ワークである例えばシート状の鋼板１の表裏面に付着している汚れ（異物）を洗い流して洗浄する装置である。
図示するように、この鋼板洗浄装置１００は、搬入部２（搬送手段）と洗浄部３（洗浄手段）と乾燥部４（乾燥手段）とにより構成される。
【００１８】
搬入部２は、上下一対の搬送ローラ５、６を有する。これら搬送ローラ５、６は、ほぼ水平状態で搬入された鋼板１を上下から挟み込み、図示しない駆動装置により回転駆動することにより所定の速度で洗浄部３に鋼板１を水平状態のまま送り込むようになされている。
【００１９】
洗浄部３は、水平状態で搬入される鋼板１の上下面に対し、それぞれ所定の高温度で高圧力の洗浄水Ｌを噴射する一対のブラストノズル７、８（洗浄ノズル）を有する。これらブラストノズル７、８には送水高圧ポンプ９が接続されている。
送水高圧ポンプ９は、モータ１０により駆動し貯水タンク１１に貯水された洗浄水Ｌを前記ブラストノズル７、８に供給し、ブラストノズル７、８からは洗浄水Ｌが所定の圧力（例えば１５ＭＰａ）で噴射されるようになされている。
また、貯水タンク１１には、ヒータ装置１２が接続され、タンク内に溜まった洗浄水Ｌを所定の高温度（例えば８０℃）まで昇温するようになされている。
【００２０】
尚、ブラストノズル７、８からの洗浄水Ｌが鋼板１の表裏面全体に噴射されるように、ブラストノズル７、８はそれぞれ複数本並列に配置されてもよいし、或いは、それぞれ１本であっても、そのノズル口が鋼板１の幅方向に長い形状であればよい。
また、ブラストノズル７、８の噴射口はそれぞれ、鋼板１の表裏面に対し鋼板搬送方向の上流側に向けられる。このようになされることで、搬送方向に沿って洗浄水Ｌを噴射するよりも、より高い洗浄効果を得ることができ、洗浄水Ｌが次工程に流出しないようにすることができる。
【００２１】
また、洗浄部３においてブラストノズル７、８による洗浄水Ｌの噴射は、洗浄室１３内において行われる。このため、洗浄部３と隣接する乾燥部４との間は鋼板１の搬送路を除き隔壁により仕切られ、乾燥部４内に洗浄水Ｌが流入しないようになされている。
また、洗浄部３においては、洗浄に用いられた洗浄水Ｌが洗浄室１３の底部に溜まるようになされている。洗浄室１３の底部には廃水管１４が設けられており、廃水管１４から洗浄後の洗浄水Ｌが排出され、貯水タンク１１に回収される。
尚、貯水タンク１１に回収された洗浄水Ｌが再び送水高圧ポンプ９によりブラストノズル７、８に供給される際には、図示しないフィルタ装置等の浄化手段によって浄化された洗浄水Ｌが使用される。
【００２２】
また、乾燥部４においては、洗浄部３での洗浄後に水平状態で搬送される鋼板１の上下面に対し、それぞれ高温度・高圧力のエアを吹き付ける一対のエアブローノズル１５、１６を有する。これらエアブローノズル１５、１６は高温ブローポンプ１９に接続されている。高温ブローポンプ１９はモータ２０により駆動し、高温エアをエアブローノズル１５、１６に供給する。これによりエアブローノズル１５、１６のノズル口からは、所定の高温度（例えば８０℃）・高圧力（例えば０．５ＭＰａ）のエアが鋼板１の上下面全体に吹き付けられるようになされている。
【００２３】
尚、エアブローノズル１５、１６からの高温・高圧エアが鋼板１の表裏面全体に吹き付けられるように、エアブローノズル１５、１６はそれぞれ複数本並列に配置されてもよいし、或いは、それぞれ１本であっても、そのノズル口が鋼板１の幅方向に長い形状であればよい。
また、乾燥部４におけるエアブローノズル１５、１６の下流方向には、水切りローラ１７、１８が設けられ、鋼板１に残った水分を拭き取るようになされている。
また、エアブローノズル１５、１６のノズル口（高温エアの吹き付け方向）は、搬送方向に沿って下流方向に向けられており、これにより鋼板１だけでなく水切りローラ１７、１８の表面に付着した水分を乾燥処理するようになされている。
【００２４】
以上のように本発明に係る実施の形態によれば、洗浄方法がブラシによるものではなく洗浄水を用いるため、周辺環境を汚染することなく清潔な周辺環境を確保でき、鋼板表面を傷付けることなく洗浄することができる。
また、ブラシのような点接触による洗浄ではなく、洗浄水を用いた面接触での洗浄によって、洗い残しがなく面全体を洗浄することができ、さらに、洗浄水を高温高圧とすることにより汚れの分解能力を向上することができる。
さらに、ブラストノズル７、８の噴出方向が鋼板１の搬送方向の上流側に向けて配置されるため、洗浄効果がより向上すると共に洗浄水Ｌが次工程に流出しないようにすることができる。
【００２５】
また、前記のように、洗浄水により効果的に鋼板１の洗浄を行うことができるために、洗浄室を多列に配置する必要がなく、洗浄水の使用量を抑制することができ、消費電力等のコストを低減することができる。
また、エアブローノズル１５、１６による高温風の吹き付け方向が、搬送方向に沿って下流方向に向けられることによって、鋼板１だけでなく水切りローラ１７を速く乾燥することができ、より効果的に鋼板１の水切りを行うことができる。
【産業上の利用可能性】
【００２６】
本発明は、鋼板の表裏面に付着した汚れ（異物）を洗浄して取り除く鋼板洗浄装置に関し、例えば自動車部品の製造業において好適に用いることができる。
【図面の簡単な説明】
【００２７】
【図１】図１は、本発明に係る鋼板洗浄装置の構成を模式的に示す図である。
【図２】図２は、従来の鋼板洗浄装置の構成を模式的に示す図である。
【図３】図３は、従来の鋼板洗浄装置の他の構成を模式的に示す図である。
【符号の説明】
【００２８】
１        鋼板
２        搬入部（搬送手段）
３        洗浄部（洗浄手段）
４        乾燥部（乾燥手段）
５        搬送ローラ
６        搬送ローラ
７        ブラストノズル
８        ブラストノズル
９        送水高圧ポンプ
１０      モータ
１１      貯水タンク
１２      ヒータ装置
１３      洗浄室
１４      排水管
１５      エアブローノズル
１６      エアブローノズル
１７      水切りローラ
１８      水切りローラ
１９      高温ブローポンプ
２０      モータ
１００    鋼板洗浄装置
Ｌ        洗浄水
【図１】
2009185347.tif 000003
【図２】
2009185347.tif 000004
【図３】
2009185347.tif 000005